【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
クライアント・コンピュータに格納されている少なくとも１つのネットワーク・パス・ブックマーク情報をモバイル機器に供給する方法であって、
ａ）前記クライアント・コンピュータがネットワーク・パス・ブックマーク情報を決定するステップと、
ｂ）第１の通信ネットワークを介して、前記クライアント・コンピュータが前記ネットワーク・パス・ブックマーク情報をサーバ・コンピュータに送信するステップと、
ｃ）第２の通信ネットワークを介して前記サーバ・コンピュータに接続された前記モバイル機器が、前記少なくとも１つのネットワーク・パス・ブックマーク情報を要求するステップと、
ｄ）前記サーバ・コンピュータが、前記要求されたネットワーク・パス・ブックマーク情報を前記モバイル機器に送信するステップと、
を含む方法。
【請求項２】
前記クライアント・コンピュータは、該クライアント・コンピュータにインストールされているブラウザ・アプリケーションから前記ネットワーク・パス・ブックマーク情報を引き出す、請求項１に記載の少なくとも１つのネットワーク・パス・ブックマーク情報をモバイル機器に供給する方法。
【請求項３】
前記クライアント・コンピュータは、該クライアント・コンピュータの所定のディレクトリから前記ネットワーク・パス・ブックマーク情報を引き出し、前記ブラウザ・アプリケーションはそのネットワーク・パス・ブックマーク情報を格納する、請求項２に記載の少なくとも１つのネットワーク・パス・ブックマーク情報をモバイル機器に供給する方法。
【請求項４】
前記ブラウザ・アプリケーションはインターネット・ブラウザ・アプリケーション・プログラムである、請求項２に記載の少なくとも１つのネットワーク・パス・ブックマーク情報をモバイル機器に供給する方法。
【請求項５】
前記モバイル機器は、前記ネットワーク・パス・ブックマーク情報についての要求を前記サーバ・コンピュータに送信し、
該サーバ・コンピュータは、前記要求されたネットワーク・パス・ブックマーク情報についての要求を前記クライアント・コンピュータに送信する、請求項１に記載の少なくとも１つのネットワーク・パス・ブックマーク情報をモバイル機器に供給する方法。
【請求項６】
前記モバイル機器は、前記ネットワーク・パス・ブックマーク情報についての要求を前記サーバ・コンピュータに送信し、
前記サーバ・コンピュータは、前記要求されたネットワーク・パス・ブックマーク情報が該サーバ・コンピュータにすでに格納されているか否かを決定し、
前記要求されたネットワーク・パス・ブックマーク情報が前記サーバ・コンピュータに格納されていない場合、該サーバ・コンピュータは前記ネットワーク・パス・ブックマーク情報についての要求を前記クライアント・コンピュータに送信し、該クライアント・コンピュータは、前記要求されたネットワーク・パス・ブックマーク情報を前記サーバ・コンピュータに送信し、
前記ネットワーク・パス・ブックマーク情報が前記サーバ・コンピュータに格納されている場合、該サーバ・コンピュータは、前記要求されたネットワーク・パス・ブックマーク情報を前記モバイル機器に送信する、
請求項１に記載の少なくとも１つのネットワーク・パス・ブックマーク情報をモバイル機器に供給する方法。
【請求項７】
前記ネットワーク・パス・ブックマーク情報は、ＨＴＭＬフォーマットまたはＷＭＬフォーマットに従って符号化される、請求項１に記載の少なくとも１つのネットワーク・パス・ブックマーク情報をモバイル機器に供給する方法。
【請求項８】
前記クライアント・コンピュータは、該クライアント・コンピュータ内の所定のディレクトリから前記ネットワーク・パス・ブックマーク情報を決定する、請求項１に記載の少なくとも１つのネットワーク・パス・ブックマーク情報をモバイル機器に供給する方法。
【請求項９】
遠隔に格納された情報を第１のコンピュータ・システムに接続されている機器にモバイル機器を介して供給する方法であって、
遠隔に格納されている処理すべき情報を指定する少なくとも１つのネットワーク・パス・ブックマーク情報を決定するステップであって、
ａ）クライアント・コンピュータが前記ネットワーク・パス・ブックマーク情報を決定するステップ、
ｂ）第１の通信ネットワークを介して、前記クライアント・コンピュータが前記ネットワーク・パス・ブックマーク情報をサーバ・コンピュータに送信するステップ、
ｃ）第２の通信ネットワークを介して前記サーバ・コンピュータに接続される前記モバイル機器が、前記少なくとも１つのネットワーク・パス・ブックマーク情報を要求するステップ、
ｄ）前記サーバ・コンピュータが、前記要求されたネットワーク・パス・ブックマーク情報を前記モバイル機器に送信するステップ、を含むステップと、
前記遠隔に格納されている処理すべき情報の前記決定されたネットワーク・パス・ブックマーク情報と、前記ネットワーク・パス・ブックマーク情報に接続されている前記情報が前記モバイル機器での命令として与えられる前記機器を指定するステップと、
前記第１の通信ネットワークを介して、前記命令を前記モバイル機器から前記第１のコンピュータ・システムに送信するステップと、
前記情報を検索し、該情報を前記機器に適したフォーマットに変換するステップと、
前記命令に従って処理するため、前記情報を前記機器に供給するステップと、
を含む、遠隔に格納された情報をモバイル機器を介して機器に供給する方法。
【請求項１０】
前記クライアント・コンピュータは、該クライアント・コンピュータ内の所定のディレクトリから前記ネットワーク・パス・ブックマーク情報を決定する、請求項９に記載の遠隔に格納された情報をモバイル機器を介して機器に供給する方法。
【請求項１１】
前記クライアント・コンピュータは、該クライアント・コンピュータにインストールされているブラウザ・アプリケーションから前記ネットワーク・パス・ブックマーク情報を引き出す、請求項９に記載の遠隔に格納された情報をモバイル機器を介して機器に供給する方法。
【請求項１２】
前記命令は前記モバイル機器から中央サーバ・コンピュータに送信され、
前記命令は前記モバイル機器から機器サーバ・コンピュータに送信され、
前記機器サーバ・コンピュータは、前記ネットワーク・パス・ブックマーク情報を用いて前記情報を検索し、該情報を前記機器に適したフォーマットに変換し、
前記機器サーバ・コンピュータは、前記命令に従って処理するため、前記情報を前記機器に与える、
請求項１１に記載の遠隔に格納された情報をモバイル機器を介して機器に供給する方法。
【請求項１３】
複数の機器が前記第１のコンピュータ・システムに接続されており、前記モバイル機器は前記命令において前記複数の機器の中から前記機器を指定する、請求項９に記載の遠隔に格納された情報をモバイル機器を介して機器に供給する方法。
【請求項１４】
前記複数の機器は前記第１のコンピュータ・システムに登録される、請求項１３に記載の遠隔に格納された情報をモバイル機器を介して機器に供給する方法。
【請求項１５】
前記モバイル機器はクライアントの識別情報を前記命令において特定することで前記機器を指定する、請求項１３に記載の遠隔に格納された情報をモバイル機器を介して機器に供給する方法。
【請求項１６】
前記第１のネットワークはゲートウェイを含み、前記モバイル機器は標準通信プロトコルを用いて前記ゲートウェイと通信し、前記ゲートウェイは前記第１のコンピュータ・システムが理解するフォーマットに前記命令を変換する、請求項１３に記載の遠隔に格納された情報をモバイル機器を介して機器に供給する方法。
【請求項１７】
前記情報は、前記第１のコンピュータ・システムが前記命令に従って前記情報を検索する第２のコンピュータに格納される、請求項１３に記載の遠隔に格納された情報をモバイル機器を介して機器に供給する方法。
【請求項１８】
前記機器はプリンタであり、前記第１のコンピュータ・システムは前記情報を印刷に適したフォーマットの印刷ジョブに変換する、請求項１３に記載の遠隔に格納された情報をモバイル機器を介して機器に供給する方法。
【請求項１９】
前記第１のコンピュータ・システムは、前記情報を印刷のためにＰＤＬフォーマットに変換する、請求項１８に記載の遠隔に格納された情報をモバイル機器を介して機器に供給する方法。
【請求項２０】
モバイル機器のユーザがクライアント・コンピュータに格納されている少なくとも１つのネットワーク・パス・ブックマーク情報を検索することができるコンピュータ・システムであって、
所定のディレクトリに少なくとも１つのネットワーク・パス・ブックマーク情報を格納しており、要求されたネットワーク・パス・ブックマーク情報を前記所定のディレクトリから決定する手段を備える、クライアント・コンピュータと、
第１の通信ネットワークを介して前記クライアント・コンピュータに接続されており、前記クライアント・コンピュータから前記引き出されたネットワーク・パス・ブックマーク情報を受信するように適合されているサーバ・コンピュータと、
第２の通信ネットワークを介して前記サーバ・コンピュータに接続されており、前記サーバ・コンピュータからネットワーク・パス・ブックマーク情報を要求するように適合されているモバイル機器と、
を含むコンピュータ・システム。